(57)【要約】  口と咽頭を経由して、気管に向って供給されることを意図としたチューブ・アセンブリー、及び、そのチューブ・アセンブリーの遠方側端部に設けてある膨張可能なカフから成る人又は動物のための呼吸器で、膨張時にカフはチューブ・アセンブリーの壁と咽頭及び食道の壁の間でシールを形成するように備えられている。チューブ・アセンブリーは第一のチューブ部分を有し、又、そのチューブ・アセンブリーがその第一のチューブ部分の遠方側端部を気管入口に送るのに、その一方で、チューブ・アセンブリーの手前側端部が口の外側に露出するのに適当な長さを有している。さらに、先行する請求項のひとつに基づく呼吸器、胃チューブ、十二指腸チューブ又は栄養管のようなプローブの組合わせとも関係している。その場合、プローブは第二のチューブを通して挿入するのに適当である。
2007514496.tif 000002
【特許請求の範囲】
【請求項１】
口と咽頭を経由して、気管に向って供給されることを意図したチューブ・アセンブリー、及び、そのチューブ・アセンブリーの遠方側端部に設けてある膨張可能なカフから成る人又は動物のための呼吸器で、膨張した状態のときに、カフはチューブ・アセンブリーの壁と咽頭の壁の間でシールを形成するように備えられていて、チューブ・アセンブリーは第一のチューブ部分を有し、又、そのチューブ・アセンブリーがその第一のチューブ部分の遠方側端部を気管の入口に送るのに、その一方で、チューブ・アセンブリーの手前側端部が口の外側にあるのに適当な長さを有している呼吸器で、
特徴として、カフが食道内に伸びることを意図した遠方側カフ部分を有し、又、膨張した状態のときに、食道を閉鎖し、その場合、その遠方側カフ部分が収縮領域を有し、膨張した状態でその収縮領域が遠方側カフ部分に収縮を生じさせる呼吸器。
【請求項２】
その収縮領域が１ないし４ｃｍ、特に約２ｃｍのような１．５から３ｃｍの長さを有していることを特徴とする請求項１に基づく呼吸器。
【請求項３】
カフの遠方側部分が膨張した状態で、収縮領域より遠方側で筒状になる部分を有していることを特徴とする請求項１−２のひとつに基づく呼吸器。
【請求項４】
筒状部分が１．５から１０ｃｍの長さを有していることを特徴とする請求項３に基づく呼吸器。
【請求項５】
その筒状部分の長さが約２ｃｍより長く、好ましくは約３．５ｃｍより長いことを特徴とする請求項３又は請求項４に基づく呼吸器。
【請求項６】
筒状部分の長さが約８ｃｍより短く、好ましくは約６ｃｍよりも短いことを特徴とする請求項３−５のうちのひとつに基づく呼吸器。
【請求項７】
チューブ・アセンブリーが第二のチューブ部分を有し、その長さがその第二のチューブ部分の遠方側端部を食道に導入し、その一方で、その第二のチューブ部分の手前側端部が口の外側にあるのに適当な長さであることを特徴とする請求項１−６のひとつに基づく呼吸器。
【請求項８】
カフがチューブ・アセンブリーの遠方側端部の周囲に設けられ、かつ、第二のチューブ部分の遠方側端部がシールした状態でカフを通って伸びていることを特徴とする請求項７に基づく呼吸器。
【請求項９】
第一及び第二のチューブ部分の内側がお互いに分離していることを特徴とする請求項７又は８に基づく呼吸器。
【請求項１０】
第二のチューブ部分の内側が楕円の断面形状のような非円形の断面形状を有することを特徴とする請求項７−９のひとつに基づく呼吸器。
【請求項１１】
第二のチューブ部分の内側が円形の断面形状を有することを特徴とする請求項７−９のひとつに基づく呼吸器。
【請求項１２】
カフの遠方側部分の先端がカフの遠方側部分の中に設けられている位置まで柔軟な補強材が伸びていることを特徴とする請求項１−１１のひとつに基づく呼吸器。
【請求項１３】
第二のチューブ部分が柔軟な補強材を通って配置されていることを特徴とする請求項７
−１１の少なくともひとつと組合わせた請求項８−１２に基づく呼吸器。
【請求項１４】
カフ又は少なくともその手前側部分がチューブ・アセンブリーに非対称に組込まれ、かつ、さらに、膨張状態でカフの手前側部分が咽頭内にあるとき、カフ・アセンブリーの手前側部分が咽頭を充填し、第一のチューブ部分の遠方側オリフィスを気管の入口の前に押すような形状を有すること特徴とする請求項１−１３のひとつに基づく呼吸器。
【請求項１５】
チューブ・アセンブリーが曲がった形状をしていて、かつ、その半径方向で見た場合、第一のチューブ部分の遠方側オリフィスが第二のチューブ部分の内側に設けられていることを特徴とする請求項７−１１の少なくともひとつを伴う前記請求項のひとつに基づく呼吸器。
【請求項１６】
膨張した状態で、カフ全体を通じて同じ圧力になるように、カフの手前側部分の内側が、カフの残りの部分の内側と流体的に通じていることを特徴とする請求項１−１５のひとつに基づく呼吸器。
【請求項１７】
膨張した状態で、咽頭内に位置しているカフの部分が、くさび状の形状をしていて、手前側が遠方側より大きな体積になっているので、咽頭内に位置しているカフのこの部分が呼吸器を食道の方に押すことを特徴とする請求項１−１６のひとつに基づく呼吸器。
【請求項１８】
請求項７−１１の少なくともひとつと、胃チューブ、十二指腸チューブ又は栄養管のようなプローブを含み、そのプローブが第二のチューブを通して挿入するのに適当であることを特徴とする前記請求項のひとつに基づく呼吸器の組合わせ。
【発明の詳細な説明】
【技術分野】
【０００１】
本発明は口と咽頭を経由して、気管に向って供給するように工夫したチューブ・アセンブリー（ｔｕｂｅ  ａｓｓｅｍｂｌｙ）、及び、そのチューブ・アセンブリーの遠方側端部に設けてある膨張可能なカフ（ｃｕｆｆ）−バルーン（ｂａｌｌｏｏｎ）とも呼ばれる−から成る人又は動物のための呼吸器に関する。
【背景技術】
【０００２】
膨張時にカフはチューブ・アセンブリーの壁と咽頭の壁の間でシール（ｓｅａｌ）を形成するように工夫されている。チューブ・アセンブリーは第一のチューブ部分を有し、又、そのチューブ・アセンブリーがその第一のチューブ部分の遠方側端部を気管入口に送るのに、その一方で、チューブ・アセンブリーの手前側端部が口の外側に出るのに適当な長さを有している。
【０００３】
そのような呼吸器は医療部門で通常用いられていて、例えば、特許文献１で知られている。
【０００４】
前記特許文献１は、特に、チューブ（１２）と膨張可能なカフ（１４）から成る呼吸器を示している。特許文献１の図面説明から、咽頭がカフ（１４）の助けを受けてチューブの壁により閉鎖（ｃｌｏｓｅｄ  ｏｆｆ）されている。さらに、チューブ（１２）の遠方側端部が咽頭の下部、咽頭蓋（２６）のすぐ上に伸びていることが示されている。膨張した状態で、カフ（１４）はカフの前に突出し部（２８）が設けられ、舌の後方に呼吸器を維持している。これ及び他の公知の呼吸器の制約は、食道への入口が閉鎖されていない、又は、少なくとも十分に閉鎖されていないことである。胃と肺の間が連絡していると、胃の内容物が呼吸中の咽頭下部を経由して肺に入る可能性がある。特に、胃の中のガスにより又はゲップの場合に、圧力が蓄積されると、カフの下で胃と肺の連絡を生じる結果として、従来技術に基づくカフは上方に押されることがある。
【０００５】
特許文献２は同様のタイプの呼吸器を示していて、膨張可能なカフ（２）が同様にチューブ（１）と咽頭の間を閉鎖するのに用いられている。特許文献１と比較して、この呼吸器のひとつの利点は、チューブ（１）が、食道の上端に組込むことを意図したストリップ（ｓｔｒｉｐ）（３）を遠方側端部に設けていることである。このストリップ（３）が、チューブの遠方側端部が食道内に挿入されるのを妨げ、例えば、声帯を損傷し得る。その公知の呼吸器はまた胃の内容物が気管及び肺に送られるのを防止するのには不適当である。
【特許文献１】国際特許出願第ＷＯ９５／０６４９２号明細書
【特許文献２】欧州特許第ＥＰ０  ９７１  ７６５号明細書
【発明の開示】
【０００６】
本発明の目的は、胃からのガスにより蓄積されたガスで生じる影響に対応することにより気管と肺に胃の内容物が移行するのを効果的に防止する呼吸器を提供することである。本発明に基づくと、この問題は基本的に２種の方法で対応でき、それらは特に同時に用いられるが、それぞれが個別に大きな利点ももたらす。
【０００７】
本発明の目的は請求項１に基づく呼吸器を提供することにより、第一のルート（ｒｏｕｔｅ）に基づいて達成される。又、請求項７に基づく呼吸器を提供することにより、第二
のルートに基づいて達成される。両方のルートが共通して、胃の中のガスにより圧力が蓄積された結果として生じる圧力の影響を気管から離す手段を提供している。
【０００８】
本発明の目的を実現する手段として、第一のルートに基づき、カフは、膨張した状態になったときに食道内に伸びていて、食道を閉鎖することを目指した遠方側のカフ部分を有し、又、膨張状態で遠方側のカフ部分が収縮する収縮領域を有している。それで、膨張した場合、カフは、咽頭の壁に対するだけでなく、食道上部の周辺の壁に対しても閉鎖する。これは、蓄積された流体又は胃の内容物が気管に進入するのを非常に信頼できる形で阻止できる結果として食道を完全に閉鎖するという有意な利点を有している。その収縮−遠方側カフ部分がその遠方側端部で、収縮の位置になっている手前側端部と比較して厚くなっている−が、さらに、食道の括約筋組織がこれに係合し、それによりカフを確実に保持し、食道の長手方向に固定する。知られているように、食道の括約筋が胃の方向に有効な蠕動作用を行う。この蠕動作用は構造全体の保持を促進するだけでなく、さらに、カフの遠方側部分と組合わせて非常に良好で、信頼できるシール（ｓｅａｌ）効果を与える。特に、この追加的シール効果により胃からのガスによる過大圧力の効果を気管から離すようにしている。
【０００９】
カフの遠方側部分に関して、収縮領域が１から４ｃｍ、特に１．５から３ｃｍ例えば約２ｃｍの長さを有している。実際には、その収縮領域は、カフ全体が作られている一体バルーンの本体の一部を形成していて、そのようなバルーン本体は人体で使用することと関連して例えば蠕動作用の立場からこの収縮領域の長さ――広がりの方向で手前側と遠方側の間でその長さを考えている――は実際に鋭い境界を持たない。ところで、収縮領域から遠方側に位置しているカフの遠方側部分の部分的長さに関して同じことが適用され、以下に論じる。
【００１０】
食道内の適合性及び食道内部のシール作用と関連して、カフの遠方側部分が収縮領域に対して遠方側であり、膨張状態で筒状になる部分である場合、本発明に基づいて、さらに利点がある。本発明に基づくと、この筒状部分が好ましく１．５から１０ｃｍの範囲の長さを有している。確かに、成人の場合、咽頭から胃の入口までの食道が有意に長いので、１０ｃｍの長さを容易に超えることができる。しかしながら、口を経由して、患者の中に呼吸器を置くことは筒状部分が長くなるとさらに困難になる。筒状部分が食道の内側で良好なシールを行なえるために、筒状の部分の長さは約２ｃｍよりも長い場合、約３．５ｃｍより長いことが、本発明に基づいて好ましい。筒状の部分が長くなり過ぎることを防止するために、かつ、食道内部のシールが依然として良好であるために、筒状の部分の長さが約８ｃｍより短かい場合、又、好ましくは約８ｃｍ以下である場合、本発明に基づいて好ましい。
【００１１】
一般的に、呼吸器の全要素の寸法について、これらはある程度患者に依存していることが指摘されている。成人の場合と比較して、子供の場合呼吸器の要素を有意に小さくできる。実際に、呼吸器はいくつかの標準寸法が入手できる（ｌａｃｕｎａ：欠文）。処理を行う専門家はどの呼吸器をどの患者に用いるかを確定できる。
【００１２】
前述のように、第二のルートは、以下で論じるように、利点は少ないけれども、第一ルートとは無関係に使用できる。これは請求項１の特徴的条文を請求項７の特徴的条文に置換えることにより、独立した主請求項を作成できる。
【００１３】
第二のルートで用いられる第二の筒状部分は、ガス又はゲップにより生じた過大な圧力又はゲップを第二の筒状部分を経由して逃すことができる。これは、胃の内容物を肺に送る可能性があるリスク（ｒｉｓｋ）を明確に低減する。結局は、胃の内容物が上昇した場合、これら又は少なくとも圧力は第二の筒状部分を通して逃すことができるので、上昇し
た胃の内容物がカフを通過する力を生じないであろう。追加の利点は、カフへの低い膨張圧力で十分なので、カフを押付けている組織にあまり大きな損傷を生じること無しに、膨張したカフは患者の中に非常に長時間配置できる。結局、咽頭を閉鎖するには、膨張可能なカフ内の空気圧力が比較的低くても十分である。それが血管での圧力を低くし、その結果として、閉鎖するほど押付けず、粘液膜を通じての循環も良好なままで、咽頭の壁の壊死も、既に述べられているように防止される。このことは、本発明に基づく呼吸器が、従来技術で公知の装置よりも長時間患者の中に配置できることを意味している。本発明に基づく呼吸器の場合、カフにとって水柱２０ないし３０ｃｍの内圧で十分である。そして、水柱約５０ｃｍの圧力で呼吸できる。従来技術に基づく呼吸器は、適切な閉鎖を生じるのにカフの内圧として水柱約６０ｃｍの圧力を必要とする。その一方で、呼吸用として容認できる最高圧力は水柱約３０ｃｍに過ぎない。第二のチューブの別の利点は、例えば、食道又は胃の医療行為又は検査のための器具をそれを通して挿入するのに使用できることである。考えられる器具には多様なプローブ（ｐｒｏｂｅ）、小型カメラ等である。さらに、第二のチューブは胃への食物のような液の供給にも使用できる。
【００１４】
良いシールという観点からは、カフがチューブ・アセンブリーの遠方側端部付近に送られる場合、及び、第二のチューブ部分の遠方側端部がシールされた状態で、カフを通して伸びていることが本発明に基づく利点である。
【００１５】
本発明の有利な実施例によると、第一のチューブ部分の内側が第二のチューブ部分の内側から分離されている。明確な利点は全ての時点でチューブを通って流れるガスと液が混合を生じるのを防止できることである。
【００１６】
本発明に基づくと、呼吸器の第二のチューブ部分が楕円形の断面のような非円形断面を有していれば長所になる。もし、非円形又は楕円に類似した断面を有するプローブ又は他の器具がそのようなチューブに挿入された場合、そのプローブ又は器具の長軸周りの回転を実質的に防止できるので、プローブ又は器具を正確に位置決めできる。
【００１７】
本発明に基づくと、第二のチューブ部分の内側が円形の断面形状を有する場合、一層の利点がある。円形断面は生産工学の観点からは単純であり、在来のプローブも通常は実質的に円形の断面形状を有している。
【００１８】
本発明の有利な側面に基づくと、カフの遠方側部分の先端がカフの遠方側部分に送られる範囲まで、柔軟な補強材が伸びている。この側面は食道の入口にカフを挿入するのを容易にする。さらに、カフと第二のチューブ部分を偶発的に気管に挿入することが不可能になるような方法で、補強材を作ることは可能である。特に、第一のチューブ部分を曲げて、かつ、補強材を供給し、その第一のチューブ部分の遠方側端部からその延長として前記曲がりの外向きに曲がった側に伸ばすことで後者が可能である。さらに、この構成の呼吸器を導入するための特別訓練はほとんど不要か又は全く不要である。
【００１９】
咽頭内の良好なシールという観点で、カフをチューブ・アセンブリー上で非対称に組込んで、カフの手前側部分が咽頭内で膨張状態になっている場合にカフの手前側部分が実質的に咽頭を充填し、第一のチューブ部分の遠方側のオリフィス（ｏｒｉｆｉｃｅ）を気管の入口の前に押すようになっていることが長所になる。
【００２０】
本発明に基づく呼吸器を患者に容易に組み込めるという観点から、チューブ・アセンブリーが曲がった形状であれば、そして、第一のチューブ部分の遠方側オリフィスが半径方向で見て、第二のチューブ部分の内側に提供されるならば、利点になる。
【００２１】
さらに、本発明は上記の呼吸器とプローブの組合わせに関係している。そのプローブは
第二のチューブを通して挿入するのに適当である。ある操作の場合、全く同一時に呼吸と食物又は他の流体のプローブを介しての投与又は引き出しが可能であれば、利点となる。
【００２２】
本発明に基づく呼吸器は、特に、集中医療で、麻酔で、事故及び緊急状態で、蘇生で、さらに、トラウマ・サービス（ｔｒａｕｍａ  ｓｅｒｖｉｃｅｓ）で用いる場合に非常に適している。医療スタッフ、救急医療士の両方、及び、未訓練のスタッフでも本発明に基づく呼吸器を患者に安全なように配置することができる。
【００２３】
処置形態及び本発明に基づく呼吸器の使用を、例示的実施例を示している以下の図に基づいて説明する。
【発明を実施するための最良の形態】
【００２４】
図面は、第一のチューブ部分を付けたチューブ・アセンブリー３３、第二のチューブ部分２を付け、遠方側オリフィス・エンド（ｏｒｉｆｉｃｅ  ｅｎｄ）１４まで続く呼吸用チューブ１を示している。第一及び第二のチューブ部分１、２は少なくとも部分的に、共通シース（ｓｈｅａｔｈ）３に収容されている。
【００２５】
膨張可能なカフ４はバルーンとも呼ばれ、シース３の遠方側端部でシールされた状態で固定される。
【００２６】
第二のチューブ部分２は呼吸チューブ１の遠方側端部１４に対して遠方側の方向に続いている。
【００２７】
第二のチューブ部分２の遠方側端部５が膨張可能なカフ４を通ってシール状態で突出している。カフ４では、第二のチューブ部分が柔軟な補強材１０の形になっている。補強材１０の機能をさらに以下で説明する。ここで、第二のチューブの内部断面が楕円のような非円形である（図３参照）。プローブが合致している非円形又は楕円の断面を有していて、結果として回転を防止し、そのプローブを操作するときに利点がある。
【００２８】
図２の呼吸器の使用位置で、膨張状態ではカフ４が完全に食道６を閉鎖している。さらに、膨張状態で、カフ４が咽頭７とチューブ・アセンブリー３３の間のシールを形成する。
【００２９】
カフは、手前側端部からシース３を通っていて、カフ４の内側の手前側端部により開いているチャンネル（ｃｈａｎｎｅｌ）８を介して膨張することができる。それでカフが矢印４０により示されているように膨張可能である。使用後、カフはチャンネル８を介した吸引により空にすることができる。
【００３０】
補強材１０は呼吸チューブ１の遠方側端部に設けられている。補強材１０はチューブ・アセンブリー３３を案内する位置にある。これが患者に挿入されるとき、第一のチューブ部分１のオリフィス１４が気管１２の開口部の前に来るようにする。補強材１０にはいくつかの機能がある：
−  補強材は挿入時に、呼吸器を正しい方向に向ける。
−  呼吸器が所定位置になると、補強材がこの位置で固定するのに役立つので、頭部の運動（回転、屈曲）で、呼吸器の位置のずれを生じない。
−  補強材はカフを案内するのに役立つ。カフは補強材を越えて食道に送られる。
−  挿入中に、補強材が柔軟で中空のチューブから成っていて、咽頭の後ろ壁を越えて押されるので、食道に自動的に送られる。
【００３１】
麻酔科医師は、気管内チューブを挿入するとき、これが常に食道で終わっていることを
知っている。それゆえ、気管内呼吸チューブを挿入する技術の目的は、これを防止することである。結局、気管内チューブの原理は、これを通して呼吸（ｂｒｅａｔｈｅ  ｏｒ  ｒｅｓｐｉｒａｔｅ）できるように、これが気管内に導入されるという事実に基づいている。それゆえ、補強材は、正しい曲がりを持つ中空チューブを導入したとき、このチューブは自動的に食道で終わるという事実を用いている。
【００３２】
呼吸チューブ１の遠方側端部１４でストリップ９は膨張時にカフ４が気管を遮断するのを防止している。この配置で、ストリップ９は食道と気道の間の隔壁に乗ることができ、かつ、部分的に食道に伸ばすことができる。
【００３３】
呼吸器の正しい配置に関連した補強材２の機能を図２に示すことができる。補強材の円形端部１１は粘液膜へ、さらにカフへの損傷を無くして、食道内に数センチメートル伸ばすことを意図している。
【００３４】
カフ４は手前側カフ部分３４と遠方側カフ部分３５を有している。断面ＩＶ−ＩＶでは（図４参照）、手前側カフ部分３４は、図１及び図４では左を向いている２本のアーム３６を持つＵ形断面形状を有していて、それらの間に空間１７があり、オリフィス端部１４とストリップ１９が位置している。この空間３７はカフの壁部分Ａにより後ろを区切られている。両頭形の矢印４１が略図的に第一のチューブ部分１を経由した呼吸を示している。
【００３５】
カフの遠方側部分３５は長さＢの収縮領域１６を有している。その中で、カフを膨張して、患者の中に置かれたとき、食道１５の括約筋が係合している。収縮領域１６より遠方で、カフの遠方側部分３５が長さＣの筒状部分３７を有している。
【００３６】
図５は本発明に基づく呼吸器の第二の実施例を示していて、図１と比較した場合、いくぶん修正されている。以前の図面に対応する参照番号及び記号を対応する要素について図５で使用している。
【００３７】
図５に基づく実施例で、食道での排出及び（又は）アクセスのための第二のチューブ部分を省略している。しかしながら、図５に基づく実施例で、図１に対応する方法で、この第二のチューブ部分を容易に設けられることは当業者には明らかであろう。補強材１０は中空に作ることができ、又、それに小チューブを接続できる。膨張チャンネル８の場合に対応している。この小チューブは特に柔軟で、チューブ３をカフ４の手前側部分のすぐ上になる外側に案内できる。
【００３８】
図１に基づく実施例と比較して、別の差異はストリップ９が長いこと、収縮部１６がより目立つこと、手前側部分３４が後部４２での体積が大であること、である。
【００３９】
図５では、カフが僅かに膨張状態で示されている。その中で、カフはふくらみ始めた状態で、張りつめた状態ではない。寸法の表示として、カフの手前側部分３４の高さがカフの遠方側部分３５の長さとほぼ等しくできることが指摘される。両方の寸法は括弧で示した方向で測定されている。
【００４０】
追加の利益はその単純な構造と、比較的低コスト（ｃｏｓｔ）であることにより、本発明に基づく呼吸器は使い捨て用品として使用できることである。
【００４１】
本発明に基づくカフの遠方側部分が食道内にあることでいくつかの利点を提供している。
−  この手段により、呼吸器は食道に入る深さまで続く膨張可能なバルーンを有している
。この実施例は呼吸器の優れた固定が行われるという利点を有している。
−  さらに、食道内のバルーンについてのこの実施例により、僅かに位置のずれを生じた場合でも、現在の技術に基づく呼吸器の場合のように、食道の不適当な閉鎖（ｉｎａｄｅｑｕａｔｅ  ｃｌｏｓｕｒｅ）を直ちに生じることがない。
−  嘔吐の間に、胃の内容物が食道を経由して上方に送られて、食道の壁の筋肉が収縮する。その結果は食道の圧力が実質的に高まる。現在の技術に基づく呼吸器の場合、この圧力上昇により、これらの装置が上方に押され、もはや食道の適切な閉鎖を保証できなくなる。示した効果は排出チャンネルを有する呼吸器によっても生じる。結局、嘔吐物がこの排出チャンネルに入る任意の時点で、それを閉鎖し、その結果として食道内の圧力形成が依然として生じる。本システムによれば、食道の圧力形成が行われている場合でさえ、依然として食道はバルーンにより適当に閉鎖されている。このことが実現されるのは、バルーンが食道内に深く入り続けているからである。食道内の圧力形成の結果として、バルーンが食道内に確実に固定され、上方に押されない。カフ内の圧力が上昇し、その結果として、カフのくさび形により、咽頭に深く押される可能性が高く、それゆえ、良好な閉鎖状態になる。この良好な閉鎖は、バルーンの食道側の空気がバルーンの咽頭部分内に送られるからである。さらに、これが、バルーン内の圧力が比較的低いのに、適切なシールを実現できる理由を説明している。説明したメカニズム（ｍｅｃｈａｎｉｓｍ）の結果として、バルーン内の圧力が必要とされる時点で、即ち、嘔吐の間に上昇する。現在の技術に基づく呼吸器の狙いは、非常に大きな範囲でカフを膨張させることにより適切なシールを得ることである。それは咽頭の壁にとっては有害である。
【００４２】
そのような低圧力で良好な機密性のシールを実現できる重要な理由は、咽頭内にあるカフの部分が膨張状態で咽頭の形状を正確になぞっている（ａｓｓｕｍｅｓ）という事実にある。その結果として、カフと咽頭の間で大きな接触面が得られる。従来技術に基づく他の呼吸器の場合はそうならない。良好な気密性のシールは医療科学文献では示されていない。
【００４３】
図面に示され、論じられている呼吸器の実施例は例示用にすぎない。
【図面の簡単な説明】
【００４４】
【図１】カフが僅かに膨張している場合の本発明に基づく呼吸器の第一の実施例の側面図である。
【図２】患者に導入された状態で、本発明に基づく呼吸器の側面図である。
【図３】図１のＩＩＩ−ＩＩＩに基づく断面を示す。
【図４】図１のＩＶ−ＩＶに基づく断面を示す。
【図５】本発明に基づく第二の実施例の側面図を示す。
【図１】
2007514496.tif 000003
【図２】
2007514496.tif 000004
【図３】
2007514496.tif 000005
【図４】
2007514496.tif 000006
【図５】
2007514496.tif 000007
【国際調査報告】
2007514496.tif 000008
2007514496.tif 000009
2007514496.tif 000010